(57)【要約】      （修正有）【課題】比較的簡易な作業によって、内部に収容される物品の取出し容易化を促進することができる包装箱用シートを提供する。【解決手段】包装箱用シート１は、４つの側壁を有する四角筒状部及び四角筒状部のうち対向する一対の短辺側壁３、５の上縁から延出される一対の外フラップ７、９を備え、１枚の段ボール紙からなる。短辺側壁３の外フラップとの連接部よりも両外側における側壁上縁を始端及び終端とする第一破断容易線１５が、少なくとも短辺側壁３を含む１又は複数の側壁に亘って形成され、一方の外フラップが、先端側領域７ａと基端側領域７ｂとに第二破断容易線１６によって区画されている。第一破断容易線の始端及び終端の少なくとも一方が、短辺側壁３に連接される長辺側壁の上縁に位置し、かつ第三破断容易線１８、２０に接続しているとよい。【選択図】図１
0003199261.tif 000002
【実用新案登録請求の範囲】
【請求項１】
４つの側壁を有する四角筒状部及び上記四角筒状部のうち対向する一対の短辺側壁の上縁から延出される一対の外フラップを備え、１枚の段ボール紙からなる包装箱用シートであって、
一方の外フラップが延出される短辺側壁の外フラップとの連接部よりも両外側における側壁上縁を始端及び終端とする第一破断容易線が、少なくとも上記一方の外フラップが延出される短辺側壁を含む１又は複数の側壁に亘って形成され、
上記一方の外フラップが、先端側領域と基端側領域とに第二破断容易線によって区画されている包装箱用シート。
【請求項２】
上記四角筒状部のうち対向する一対の長辺側壁の上縁から延出される一対の内フラップをさらに備え、
上記各内フラップが、組立状態で上記一方の外フラップの先端側領域及び他方の外フラップを支持する主部と、上記一方の外フラップの基端側領域を支持する副部とを有し、
少なくとも一方の内フラップの主部の平均延出長さが副部の平均延出長さよりも大きい請求項１に記載の包装箱用シート。
【請求項３】
上記一対の内フラップの主部の延出端同士が組立状態で重なり合う請求項２に記載の包装箱用シート。
【請求項４】
上記各副部の延出端から各副部が延出される長辺側壁の上縁に至る切込み、及びこの切込みの先端から一方の外フラップ側に伸びる第三破断容易線が形成され、各副部の上記切込みから一方の外フラップ側の領域が切り取り可能に構成される請求項２又は請求項３に記載の包装箱用シート。
【請求項５】
上記第一破断容易線の始端及び終端の少なくとも一方が、上記一方の外フラップが延出される短辺側壁に連接される長辺側壁上縁に位置し、かつ上記第三破断容易線に接続している請求項４に記載の包装箱用シート。
【考案の詳細な説明】
【技術分野】
【０００１】
本考案は、包装箱用シートに関する。
【背景技術】
【０００２】
内部に収容した物品を容易に取り出すことができるように天壁及び側壁の一部を切り取り可能な段ボール箱が知られている。また、このような段ボール箱としては、例えば「包装箱」（特開２００３−１５５０２５号公報参照）が発案されている。
【０００３】
この公報所載の包装箱は、四角筒状部を構成する４つの側壁と、対向する一対の側壁の上縁から延出される一対の内フラップと、この一対の側壁とは異なる側壁の上縁から延出される蓋フラップとを有する１枚の段ボールシートから組立てられる。
【０００４】
上記包装箱は、蓋フラップと側壁との連接部、及び一方の内フラップと側壁との連接部にそれぞれ破断容易線が形成されている。また、上記包装箱は、一方の内フラップが延出される側壁に開口を形成するための破断容易線及び折り曲げ容易線が形成されている。
【０００５】
上記包装箱は、蓋フラップ及び一方の内フラップを側壁との連接部で切り取ったうえ、この一方の内フラップが延出される側壁に開口を形成することで、内部に収容された物品を容易に取り出すことができる。
【０００６】
しかしながら、上記包装箱は、蓋フラップ及び一方の内フラップを切り取ったうえ、側壁に形成される破断容易線を破断し、さらにこの側壁に形成される折り曲げ容易線を折り曲げることで物品の取出口が形成されるもので、この物品取出口を形成する作業が煩雑で手間がかかる。
【先行技術文献】
【特許文献】
【０００７】
【特許文献１】特開２００３−１５５０２５号公報
【考案の概要】
【考案が解決しようとする課題】
【０００８】
本考案は、このような不都合に鑑みてなされたものであり、比較的簡易な作業によって、内部に収容される物品の取出し容易化を促進することができる包装箱用シートの提供を目的とするものである。
【課題を解決するための手段】
【０００９】
上記課題を解決するためになされた本考案に係る包装箱用シートは、４つの側壁を有する四角筒状部及び上記四角筒状部のうち対向する一対の短辺側壁の上縁から延出される一対の外フラップを備え、１枚の段ボール紙からなる包装箱用シートであって、一方の外フラップが延出される短辺側壁の外フラップとの連接部よりも両外側における側壁上縁を始端及び終端とする第一破断容易線が、少なくとも上記一方の外フラップが延出される短辺側壁を含む１又は複数の側壁に亘って形成され、上記一方の外フラップが、先端側領域と基端側領域とに第二破断容易線によって区画されている。
【００１０】
当該包装箱用シートは、対向する一対の短辺側壁の上縁から延出される一対の外フラップが内側に折り曲げられることで組立状態における天壁を構成する。当該包装箱用シートは、例えば一対の外フラップの先端部同士を突き合わせたうえ、この突き合わせ部分に封緘テープを貼ることで封緘される。当該包装箱用シートは、一方の外フラップに形成される第二破断容易線によって区画される先端側領域に封緘テープが貼られた状態で、上記第一破断容易線及び第二破断容易線の破断によって、一方の外フラップの基端側領域とこの基端側領域に連接される側壁の一部とを同時に切り取ることができる。これにより、当該包装箱用シートは、内部に収容された物品をこの切り取り部分から容易に取り出すことができる。このように、当該包装箱用シートは、第一破断容易線及び第二破断容易線を破断するという比較的簡易な作業によって、内部に収容される物品の取出し容易化を促進することができる。
【００１１】
上記四角筒状部のうち対向する一対の長辺側壁の上縁から延出される一対の内フラップをさらに備え、上記各内フラップが、組立状態で上記一方の外フラップの先端側領域及び他方の外フラップを支持する主部と、上記一方の外フラップの基端側領域を支持する副部とを有し、少なくとも一方の内フラップの主部の平均延出長さが副部の平均延出長さよりも大きいとよい。このように、少なくとも一方の内フラップの主部の平均延出長さが副部の平均延出長さよりも大きいことによって、組立状態で一方の外フラップの基端側領域が切り取られた場合に、この切り取り部分からの物品の取出し容易化を図ることができると共に、一対の外フラップの切り取り部分以外の部分の組立状態での強度を補強することができる。
【００１２】
上記一対の内フラップの主部の延出端同士が組立状態で重なり合うとよい。このように、上記一対の内フラップの主部の延出端同士が組立状態で重なり合うことによって、一方の外フラップの先端側領域及び他方の外フラップを的確に支持することができる。また、当該包装箱用シートを組立ててなる包装箱が段積みにされた場合等に、この一方の外フラップの先端側領域及び他方の外フラップが落ち窪むのを防止することができる。
【００１３】
上記各副部の延出端から各副部が延出される長辺側壁の上縁に至る切込み、及びこの切込みの先端から一方の外フラップ側に伸びる第三破断容易線が形成され、各副部の上記切込みから一方の外フラップ側の領域が切り取り可能に構成されるとよい。このように、上記各副部の延出端から各副部が延出される長辺側壁の上縁に至る切込み、及びこの切込みの先端から一方の外フラップ側に伸びる第三破断容易線が形成され、各副部の上記切込みより一方の外フラップ側の領域が切り取り可能に構成されることによって、封緘状態での強度を保つと共に、物品取出し作業の容易化を促進することができる。
【００１４】
上記第一破断容易線の始端及び終端の少なくとも一方が、上記一方の外フラップが延出される短辺側壁に連接される長辺側壁上縁に位置し、かつ上記第三破断容易線に接続しているとよい。このように、上記第一破断容易線の始端及び終端の少なくとも一方が、上記一方の外フラップが延出される短辺側壁に連接される長辺側壁上縁に位置し、かつ上記第三破断容易線に接続していることによって、一方の外フラップの基端側領域とこの基端側領域に連接される側壁の一部、並びに各副部の上記切込みから一方の外フラップ側の領域の切り取り容易化が促進される。
【考案の効果】
【００１５】
以上説明したように、本考案の包装箱用シートは、比較的簡易な作業によって、内部に収容される物品の取出し容易化を促進することができる。
【図面の簡単な説明】
【００１６】
【図１】本考案の第一実施形態に係る包装箱用シートを示す模式的平面図である。
【図２】図１の包装箱用シートを組立ててなる包装箱を示す模式的斜視図である。
【図３Ａ】図２の包装箱の組立手順を説明するための模式的平面図である。
【図３Ｂ】図３Ａの次の組立手順を説明するための模式的平面図である。
【図３Ｃ】図３Ｂの次の組立手順を説明するための模式的平面図である。
【図４Ａ】図２の包装箱の開封手順を説明するための模式的平面図（ａ）及び模式的側面図（ｂ）である。
【図４Ｂ】図４Ａの次の開封手順を説明するための模式的平面図である。
【図５】図２の包装箱の開封状態を示す模式的斜視図である。
【図６】本考案のその他の実施形態に係る第一破断容易線を説明するための模式的部分平面図である。
【考案を実施するための形態】
【００１７】
以下、適宜図面を参照しつつ、本考案の実施の形態を詳説する。
【００１８】
［第一実施形態］
＜包装箱用シート＞
図１の包装箱用シート１は、１枚の段ボール紙からなる。図１の包装箱用シート１は、４つの側壁２，３，４，５を有する四角筒状部と、上記四角筒状部のうち対向する一対の短辺側壁３，５の上縁から延出される一対の上側外フラップ７，９（以下、単に「外フラップ７，９」ともいう。）と、上記四角筒状部のうち対向する一対の長辺側壁２，４の上縁から延出される一対の上側内フラップ６，８（以下、単に「内フラップ６，８」ともいう。）とを備える。また、図１の包装箱用シート１は、上記一対の短辺側壁３，５の下縁から延出される一対の下側内フラップ１１，１３と、上記一対の長辺側壁２，４の下縁から延出される一対の下側外フラップ１０，１２とを備える。さらに、図１の包装箱用シート１は、長辺側壁２の短辺側壁３と連接される側の端縁と反対の端縁から延出される糊代部１４を備える。図１の包装箱用シート１は、糊代部１４、長辺側壁２、短辺側壁３、長辺側壁４及び短辺側壁５がこの順で連接されている。なお、本明細書における「上」及び「下」とは、当該包装箱用シート１を包装箱に組立てた状態での「上」及び「下」を意味する。また、図１において、太い線は段ボールシートを切断した切断線を示し、細い線は段ボールシートに型押しして形成した罫線を示す。さらに、図１の破線状の部分は、断続的に段ボールシートに切込みを入れたミシン目を示す。なお、この破線状部分は、段ボールシートの片側のライナーが切断されていないハーフカットであってもよい。
【００１９】
当該包装箱用シート１に用いられる段ボールシートとしては、波形状に形成された中芯原紙をライナーに貼り合わせたものであって、例えば波形状に形成された中芯原紙を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。
【００２０】
（側壁）
上記一対の短辺側壁３，５は略同形の矩形状に形成されている。また、上記一対の長辺側壁２，４は略同の矩形状に形成されている。側壁２，３，４，５はいずれも上下方向長さが略同一とされている。また、上記一対の短辺側壁３，５の幅（左右方向長さ）は、上記一対の長辺側壁２，４の幅よりも小さい。また、上記一対の短辺側壁３，５の上縁から延出される一対の外フラップ７，９の幅は、上記一対の長辺側壁２，４の上縁から延出される一対の内フラップ６，８の幅よりも小さい。当該包装箱用シート１は、一対の外フラップ７，９の幅が、一対の内フラップ６，８の幅よりも小さいことによって、組立容易化及び当該包装箱用シート１を組み立ててなる包装箱の開封容易化を図ることができると共に、開封状態における強度が不十分にならないように補強することができる。
【００２１】
一対の短辺側壁３，５の幅としては、特に限定されるものではないが、例えば１０ｃｍ以上４０ｃｍ以下程度とすることができる。また、一対の長辺側壁２，４の幅としては、特に限定されるものではないが、例えば３０ｃｍ以上７０ｃｍ以下程度とすることができる。さらに、側壁２，３，４，５の上下方向長さとしては、特に限定されるものではないが、例えば１０ｃｍ以上３０ｃｍ以下程度とすることができる。当該包装箱用シート１は、側壁２，３，４，５の幅及び上下方向長さを上記範囲程度とすることで、包装箱開封後の強度を保ちつつ、内部に収容された物品の取出し容易化を促進し易い。
【００２２】
側壁２，３，４，５には、一方の外フラップ７及びこの外フラップ７が延出される短辺側壁３の連接部よりも両外側における上縁を始端及び終端とする第一破断容易線１５が形成されている。第一破断容易線１５は、少なくとも一方の外フラップ７が延出される短辺側壁３を含む側壁２，３，４，５に亘って形成されている。具体的には、本実施形態では、第一破断容易線１５は、一方の外フラップ７が延出される短辺側壁３の領域内に形成されている。
【００２３】
第一破断容易線１５は、短辺側壁３における一対の長辺側壁２，４との連接部に沿って上下方向に伸びる一対の垂直部１５ａと、一対の垂直部１５ａの下端同士を連結する水平部１５ｂとを含む。一対の垂直部１５ａと水平部１５ｂとの連結部は湾曲している。また、水平部１５ｂの中央部分には、第一破断容易線１５の破断開始部を構成する破断開始用スリット１５ｃが形成されている。
【００２４】
短辺側壁３の上下方向長さに対する一対の垂直部１５ａの長さの比の下限としては、２／５が好ましく、１／２がより好ましい。一方、上記長さの比の上限としては、４／５が好ましく、７／１０がより好ましい。上記長さの比が上記下限に満たないと、当該包装箱用シート１を組み立ててなる包装箱の開封状態における物品の取出し容易化が十分に促進されないおそれがある。逆に、上記長さの比が上記上限を超えると、包装箱の内部に収容される物品が取出し時以外に包装箱の外側に逸出するおそれがある。
【００２５】
（外フラップ）
一対の外フラップ７，９は、略矩形状に形成されている。一対の外フラップ７，９の延出長さの合計は各長辺側壁２，４の幅と略同一とされている。具体的には、一対の外フラップ７，９の延出長さは略同一とされており、かつ各々の外フラップ７，９の延出長さは各長辺側壁２，４の幅の略１／２とされている。これにより、一対の外フラップ７，９は、当該包装箱用シート１の組立状態において延出端同士が一対の長辺側壁２，４の幅方向中央部で突き合わされる構成とされている。
【００２６】
一方の外フラップ７は、第一破断容易線１５の始端及び終端間から延出されている。具体的には、一方の外フラップ７は、短辺側壁３の幅方向の両端以外の上縁から延出されており、この短辺側壁３の幅方向両端を始端及び終端として第一破断容易線１５が形成されている。
【００２７】
一方の外フラップ７は、第二破断容易線１６によって先端側領域７ａと基端側領域７ｂとに区画されている。第二破断容易線１６は、一方の外フラップ７の幅方向の両端に亘って形成されている。また、第二破断容易線１６は、一方の外フラップ７の両端に亘り直線状に形成されている。さらに、第二破断容易線１６は、短辺側壁３と一方の外フラップ７との連接部と平行に伸びている。第二破断容易線１６の中央部分には、第二破断容易線１６の破断開始部を構成する破断開始用スリット１６ａが形成されている。
【００２８】
先端側領域７ａの平均延出長さ（第二破断容易線１６と一方の外フラップ７の延出端との平均距離）の下限としては、２ｃｍが好ましく、４ｃｍがより好ましい。一方、先端側領域７ａの平均延出長さの上限としては、１０ｃｍが好ましく、８ｃｍがより好ましい。先端側領域７ａの平均延出長さが上記下限に満たないと、基端側領域７ｂにはみ出さないように封緘テープを貼るのが容易でなくなるおそれがある。逆に、先端側領域７ａの平均延出長さが上記上限を超えると、当該包装箱用シート１を組立ててなる包装箱の開封状態における物品の取出し容易化を十分に向上できないおそれがある。
【００２９】
（内フラップ）
一対の内フラップ６，８は、組立状態において一対の外フラップ７，９を下方から支持する。一対の内フラップ６，８は、組立状態で一方の外フラップ７の先端側領域７ａ及び他方の外フラップ９を支持する主部６ａ，８ａと、一方の外フラップ７の基端側領域７ｂを支持する副部６ｂ，８ｂとを有する。
【００３０】
一方の内フラップ６の主部６ａの平均延出長さは副部６ｂの平均延出長さよりも大きいことが好ましい。このように、一方の内フラップ６の主部６ａの平均延出長さが副部６ｂの平均延出長さよりも大きいことによって、組立状態で一方の外フラップ７の基端側領域７ｂが切り取られた場合に、この切り取り部分からの物品の取出し容易化を図ることができると共に、一対の外フラップ７，９の切り取り部分以外の部分の組立状態での強度を補強することができる。
【００３１】
一方の内フラップ６の主部６ａは、略矩形状に形成されている。このように、一方の内フラップ６の主部６ａが略矩形状に形成されていることによって、組立状態で一方の外フラップ７の先端側領域７ａ及び他方の外フラップ９を広い範囲に亘って支持し易い。
【００３２】
一方の内フラップ６の副部６ｂは、主部６ａの一方の外フラップ７側の基端側端縁から延出する。副部６ｂは、主部６ａとの連接部から一方の外フラップ７側にかけて徐々に延出長さが小さくなる非切取り領域６ｃと、非切取り領域６ｃよりも一方の外フラップ７側に形成される略矩形状の切取り領域６ｄとを有する。具体的には、副部６ｂには、延出端から副部６ｂが延出される長辺側壁２の上縁に至る切込み１７、及び切込み１７の先端から一方の外フラップ７側に伸びる第三破断容易線１８が形成されており、切込み１７によって非切取り領域６ｃと切取り領域６ｄとが区画されている。なお、本実施形態において、第三破断容易線１８は、副部６ｂと長辺側壁２との連接部上に形成されており、かつ切取り領域６ｄの一方の外フラップ７側端縁まで至る。これにより、副部６ｂは、切込み１７から一方の外フラップ７側の領域が切り取り可能に構成されている。
【００３３】
切取り領域６ｄの延出長さは、非切取り領域６ｃの一方の外フラップ７側の延出長さよりも大きい。このように、切取り領域６ｄの延出長さが、非切取り領域６ｃの一方の外フラップ７側の延出長さよりも大きいことによって、当該包装箱用シート１を組立ててなる包装箱の封緘状態での強度を高めて箱潰れ等を防止することができると共に、開封時に切取り領域６ｄを切り取ることで、内部に収容される物品の取出し容易化を促進することができる。
【００３４】
他方の内フラップ８の主部８ａの延出長さは、他方の外フラップ９側から一方の外フラップ７側にかけて徐々に大きくなっている。また、一方の内フラップ６の主部６ａの延出端と他方の内フラップ８の主部８ａの延出端とは組立状態で重なり合うことが好ましい。このように、一対の内フラップ６，８の主部６ａ，８ａの延出端同士が組立状態で重なり合うことによって、一方の外フラップ７の先端側領域７ａ及び他方の外フラップ９を的確に支持することができる。また、かかる構成によると、当該包装箱用シート１を組立ててなる包装箱が段積みにされた場合等に、この一方の外フラップ７の先端側領域７ａ及び他方の外フラップ９が落ち窪むのを防止することができる。
【００３５】
また、当該包装箱用シート１は、上述のように、一方の内フラップ６の主部６ａが略矩形状とされると共に、他方の内フラップ８の主部８ａの延出長さが他方の外フラップ９側から一方の外フラップ７側にかけて徐々に大きくなっているので、組立状態で他方の外フラップ９側における一対の主部６ａ，８ａの重なり面積を小さくして他方の外フラップ９の折り曲げ作業の容易化を促進することができる。なお、当該包装箱用シート１の組立状態において、一対の主部６ａ，８ａの延出端の全部分が重なり合っていることが好ましいが、例えば他方の外フラップ７側において互いに重なり合わない部分を有していてもよい。当該包装箱用シートは、このように一対の主部６ａ，８ａが他方の外フラップ７側において互いに重なり合わない部分を有している場合、他方の外フラップ７の折り曲げ作業の容易化をさらに促進することができる。
【００３６】
他方の内フラップ８の副部８ｂは、主部８ａの一方の外フラップ７側の基端側端縁から延出する。副部８ｂは、主部８ａとの連接部から一方の外フラップ７側にかけて徐々に延出長さが小さくなる非切取り領域８ｃと、非切取り領域８ｃよりも一方の外フラップ７側に形成される略矩形状の切取り領域８ｄとを有する。具体的には、副部８ｂには、延出端から副部８ｂが延出される長辺側壁４の上縁に至る切込み１９、及び切込み１９の先端から一方の外フラップ７側に伸びる第三破断容易線２０が形成されており、切込み１９によって非切取り領域８ｃと切取り領域８ｄとが区画されている。なお、本実施形態において、第三破断容易線２０は、副部８ｂと長辺側壁４との連接部上に形成されており、かつ切取り領域８ｄの一方の外フラップ７側端縁まで至る。これにより、副部８ｂは、切込み１９から一方の外フラップ７側の領域が切り取り可能に構成されている。なお、他方の内フラップ８の副部８ｂの形状は、一方の内フラップ６の副部６ｂの形状と同様とすることができる。
【００３７】
当該包装箱用シート１は、各副部６ｂ，８ｂの延出端から各副部６ｂ，８ｂが延出される長辺側壁２，４の上縁に至る切込み１７，１９、及びこの切込み１７，１９の先端から一方の外フラップ７側に伸びる第三破断容易線１８，２０が形成され、各副部６ｂ，８ｂの切込み１７，１９より一方の外フラップ７側の領域が切り取り可能に構成されることによって、封緘状態での強度を保つと共に、物品取出し作業の容易化を促進することができる。
【００３８】
他方の内フラップ８の副部８ｂは、組立状態で一方の内フラップ６の副部６ｂと離間している。つまり、一対の副部６ｂ，８ｂの合計延出長さは、各短辺側壁３，５の幅よりも小さい。一対の短辺側壁３，５の幅に対する組立状態における一対の副部６ｂ，８ｂ間の平均間隔の比としては、例えば１／２以上１９／２０以下程度とすることができる。
【００３９】
（下側フラップ）
下側外フラップ１０は、先端中央部に凹部２１が形成されている。下側外フラップ１０は、基端側の両端から先端に亘って中央側に傾斜する一対の弱化線２２が形成されている。また、下側外フラップ１２は、先端中央部に突出部２３が形成されている。下側外フラップ１２は、基端側の両端から先端に亘って中央側に傾斜する一対の弱化線２４が形成されている。
【００４０】
＜利点＞
当該包装箱用シート１は、対向する一対の短辺側壁３，５の上縁から延出される一対の外フラップ７，９が内側に折り曲げられることで組立状態における天壁を構成する。当該包装箱用シート１は、例えば一対の外フラップ７，９の先端部同士を突き合わせたうえ、この突き合わせ部分に封緘テープを貼ることで封緘される。当該包装箱用シート１は、一方の外フラップ７に形成される第二破断容易線１６によって区画される先端側領域７ａに封緘テープが貼られた状態で、第一破断容易線１５及び第二破断容易線１６の破断に基づき、一方の外フラップ７の基端側領域７ｂとこの基端側領域７ｂに連接される短辺側壁３の一部とを同時に切り取ることができる。これにより、当該包装箱用シート１は、内部に収容された物品をこの切り取り部分から容易に取り出すことができる。このように、当該包装箱用シート１は、第一破断容易線１５及び第二破断容易線１６を破断するという比較的簡易な作業によって、内部に収容される物品の取出し容易化を促進することができる。
【００４１】
＜包装箱＞
次に、図２を参照して、当該包装箱用シート１を組立ててなる包装箱３１について説明する。包装箱３１は、図１の包装箱用シート１の糊代部１４を短辺側壁５の長辺側壁４と連接される側の端縁と反対の端縁に貼り付けることで四角筒状部を形成したうえ、一対の下側内フラップ１１，１３を折り曲げかつ一対の下側外フラップ１０，１２を組み合わせることで底壁を形成し、続いて一対の内フラップ６，８及び一対の外フラップ７，９を折り曲げることで天壁を形成し、さらに長辺側壁２，４の上部を始端及び終端として一対の外フラップ７，９の突き合わせ部分に封緘テープＸを貼ることで得られる。
【００４２】
包装箱３１の底壁の組立手順について説明する。包装箱３１の底壁の組立手順としては、まず図１の包装箱用シート１の一対の下側内フラップ１１，１３を内側に折り曲げたうえ、下側外フラップ１２を内側に折り曲げ、さらに下側外フラップ１２の外面に重ね合せるように下側外フラップ１０を内側に折り曲げる。そして、下側外フラップ１２の外面に下側外フラップ１０を重ね合せた状態で、下側外フラップ１０をさらに内側に押し込む。ここで、一対の下側外フラップ１０，１２には、弱化線２２，２４が形成されているので、下側外フラップ１０の押し込みに対応してこれら二対の弱化線２２，２４が適度に折れ曲がり、下側外フラップ１０を内側に十分に押し込むことができる。この押し込み動作によって、突出部２３が凹部２１の内側に入り込み、一対の外側外フラップ１０，１２が係合されて底壁が形成される。
【００４３】
次に、図３Ａ乃至図３Ｃを参照して、包装箱３１の天壁の組立手順について説明する。まず、図３Ａに示すように、一対の内フラップ６，８を内側に折り曲げる。これにより、一対の内フラップ６，８の主部６ａ，８ａの延出端同士が重ね合される。一方、一対の副部６ｂ，８ｂの延出端同士は離間し、一対の副部６ｂ，８ｂ間には開口Ｙが形成される。
【００４４】
続いて、図３Ｂに示すように、他方の外フラップ９を一対の内フラップ６，８上に重ね合せる。この際、他方の外フラップ９は、一対の内フラップ６，８の主部６ａ，８ａに重ねられる。
【００４５】
さらに、一方の外フラップ７を一対の内フラップ６，８に重ね合せたうえ、図３Ｃに示すように、一対の長辺側壁２，４の上部を始端及び終端として一対の外フラップ７，９の突き合わせ部分に封緘テープＸを貼る。この際、一方の外フラップ７の先端側領域７ａは、一対の内フラップ６，８の主部６ａ，８ａに重ねられ、一方の外フラップ７の基端側領域７ｂは、一対の内フラップ６，８の副部６ｂ，８ｂに重ねられる。さらに、封緘テープＸは、一方の外フラップ７の先端側領域７ａと他方の外フラップ９の先端部分とに貼着される。これにより、封緘テープＸによって封緘された包装箱３１が得られる。
【００４６】
次に、図４Ａ、図４Ｂ及び図５を参照して、包装箱３１の開封手順について説明する。まず、第一破断容易線１５及び第二破断容易線１６を破断することで、図４Ａ（ａ），（ｂ）に示す物品取出し部Ｚを形成する。
【００４７】
さらに、第三破断容易線１８，２０を破断することで、一対の切取り領域６ｄ，８ｄを除去して図４Ｂ及び図５に示すように、物品取出し部Ｚを拡張する。
【００４８】
＜利点＞
当該包装箱３１は、当該包装箱用シート１を組立てることで容易に得られる。当該包装箱３１は、第一破断容易線１５及び第二破断容易線１６を破断することで、容易に物品取出し部Ｚを形成することができる。さらに、当該包装箱３１は、第三破断容易線１８，２０を破断することで、この物品取出し部Ｚを容易に拡張することができる。従って、当該包装箱３１は、比較的簡易な作業によって、内部に収容される物品の取出し容易化を促進することができる。
【００４９】
［その他の実施形態］
なお、本考案の包装箱用シートは、上記態様の他、種々の変更、改良を施した態様で実施することができる。例えば、一対の内フラップは、組立状態で主部の延出端同士が重なり合わなくてもよい。また、上記一対の内フラップの主部の延出長さは、必ずしも副部の延出長さよりも大きくなくてもよい。当該包装箱用シートは、組立状態で主部の延出端同士が重ならない場合、及び上記一対の内フラップの主部の延出長さが副部の延出長さよりも大きくない場合であっても、組立状態で一対の外フラップ同士を突き合わせたうえでこの一対の外フラップの先端部同士を封緘シールで封緘することで適度な強度を得ることができる。
【００５０】
当該包装箱用シートは、必ずしも第一破断容易線が一方の外フラップが延出される短辺側壁のみに形成されていなくてもよい。例えば図６に示すように、当該包装箱用シート４１は、第一破断容易線４２の始端及び終端が、一方の外フラップ４７が延出される短辺側壁４４に連接される一対の長辺側壁４３，４５の上縁に位置し、かつ第三破断容易線４９，５０に接続していてもよい。当該包装箱用シート４１は、このように第一破断容易線４２の始端及び終端が、一方の外フラップ４７が延出される短辺側壁４４に連接される一対の長辺側壁４３，４５の上縁に位置し、かつ一対の第三破断容易線４９，５０に接続していることによって、一方の外フラップ４７の基端側領域４７ｂとこの基端側領域４７ｂに連接される側壁４３，４４，４５の一部、並びに各副部４６，４８の切込み５１，５２から一方の外フラップ４７側の領域を一体に切取ることができる。なお、当該包装箱用シートは、必ずしも第一破断容易線の始端及び終端がいずれも長辺側壁の上縁に位置する必要はなく、例えば第一破断容易線の始端のみが長辺側壁の上縁に位置してもよい。また、当該包装箱用シートは、例えば第一破断容易線の始端及び終端が各副部の切取り領域及び非切取り領域を区画する切込みの先端に接続していてもよく、この場合、上記第一破断容易線が第三破断容易線を兼ねてもよい。さらに、第一破断容易線の始端及び終端が長辺側壁の上縁に位置する場合、各長辺側壁における第一破断容易線の上下方向長さ及び幅方向長さとしては、例えば１ｃｍ以上５ｃｍ以下とすることができる。
【００５１】
当該包装箱用シートは、必ずしも各副部の延出端から各副部が延出される長辺側壁の上縁に至る切込み、及びこの切込みの先端側から一方の外フラップ側に伸びる第三破断容易線が形成され、各副部の切込みから一方の外フラップ側の領域が切り取り可能に構成されていなくてもよい。当該包装箱用シートは、各副部の一方のフラップ側の領域が切り取り可能に構成されていない場合でも、一方の外フラップの基端側領域とこの基端側領域に連接される側壁の一部とを切り取ることで、この切り取り部分から物品を容易に取出すことができる。
【００５２】
上記第一破断容易線は、必ずしも上下方向に伸びる一対の垂直部と、一対の垂直部の下端同士を連結する水平部とを含む必要はない。当該包装箱用シートは、例えば上記水平部に代えて、一対の垂直部の下端から側壁の幅方向中央部に向けて上方又は下方に湾曲した湾曲部を有してもよい。またこの場合、湾曲部の上端又は下端が破断開始部として形成されていてもよい。当該包装箱用シートは、上記第一破断容易線がこのような湾曲部を有することによって、第一破断容易線の破断容易化をさらに促進することができる。
【産業上の利用可能性】
【００５３】
以上のように、本考案の包装箱用シートは、比較的簡易な作業によって、内部に収容される物品の取出し容易化を促進することができるので、種々の物品を収容するための包装箱用シートとして適している。
【符号の説明】
【００５４】
１，４１  包装箱用シート
２，３，４，５，４３，４４，４５  側壁
６，８  上側内フラップ（内フラップ）
６ａ，８ａ  主部
６ｂ，８ｂ，４６，４８  副部
６ｃ，８ｃ  非切取り領域
６ｄ，８ｄ  切取り領域
７，９，４７  上側外フラップ（外フラップ）
７ａ  先端側領域
７ｂ，４７ｂ  基端側領域
１０，１２  下側外フラップ
１１，１３  下側内フラップ
１４  糊代部
１５，４２  第一破断容易線
１５ａ  垂直部
１５ｂ  水平部
１５ｃ  破断開始用スリット
１６  第二破断容易線
１６ａ  破断開始用スリット
１７，１９，５１，５２  切込み
１８，２０，４９，５０  第三破断容易線
２１  凹部
２２，２４  弱化線
２３  突出部
３１  包装箱
Ｘ  封緘シール
Ｙ  開口
Ｚ  物品取出し部
【図１】
0003199261.tif 000003
【図２】
0003199261.tif 000004
【図３Ａ】
0003199261.tif 000005
【図３Ｂ】
0003199261.tif 000006
【図３Ｃ】
0003199261.tif 000007
【図４Ａ】
0003199261.tif 000008
【図４Ｂ】
0003199261.tif 000009
【図５】
0003199261.tif 000010
【図６】
0003199261.tif 000011